(57)【要約】      （修正有）【課題】凹凸のある地面上で使用に際して、クッション性を確保できる携帯寝具システムを提供すること。また、屋外・屋内、さらに季節を問わず使用できる多機能な携帯寝具システムを提供すること。【解決手段】携帯寝具システム１は、下敷き２０、エアマット１０、およびカバー部３０となるエアカバー４０を有している。また、エアマット１０とエアカバー４０は協働して保温空間５０を画定している。保温空間５０の一方の端部には第１メッシュシート５５が設けられ、他方の端部には遮断シートが設けられている。保温空間５０は、高い断熱性能を具備する空気層で周囲を覆われていることから、寒い冬の時期でも、寒さから身を守ることができる。また、カバー部３０の構成を変更することで、直射日光の影響を受けることなく、また、夜露、降雨による影響を受けることもない通気空間を画定できる。【選択図】図１
2020174918.tif 000002
【特許請求の範囲】
【請求項１】
折畳み可能な携帯寝具システムであって、
第１方向に沿って延びる複数のエアセルが列状に連接されたエアマットと、
前記エアマットの下面に配設されて、前記エアマットに着脱可能に固定される下敷きと、を備え、
前記下敷きは、前記エアマットの下面全面を覆うシートと、前記シートに第１方向に間隔をあけて固定されて、前記シートの一方の端部から前記第１方向に直交する第２方向に沿って他方の端部まで延びる複数のビームを有することを特徴とする携帯寝具システム。
【請求項２】
前記エアマットの上方に配設されて、前記エアマットに着脱可能に固定されるカバー部をさらに備えることを特徴とする請求項１に記載の携帯寝具システム。
【請求項３】
前記カバー部は、かまぼこ形に湾曲したエアカバーを有し、
前記エアカバーと前記エアマットは、協働して、外気を断熱するための保温空間を画定することを特徴とする請求項２に記載の携帯寝具システム。
【請求項４】
前記保温空間の一方の端部に外気を遮断するための遮断シートが設けられ、他方の端部に換気のための第１メッシュシートが設けられることを特徴とする請求項３に記載の携帯寝具システム。
【請求項５】
前記カバー部は、一方の端部が前記エアマットの一方の端部に着脱可能に固定されるかまぼこ形に湾曲したエアカバーと、一方の端部が前記エアマットの他方の端部に着脱可能に固定されて、他方の端部が前記エアカバーの他方の端部に着脱可能に固定される支柱幕とを有し、
前記支柱幕は、支柱シートと、前記支柱シートに間隔をあけて固定されて、前記支柱シートの一方の端部から前記第１方向に直交する第３方向に沿って他方の端部まで延びる複数の支柱コラムとを含み、
前記カバー部と前記エアマットは、協働して内部の空気を通気させるための通気空間を画定することを特徴とする請求項２に記載の携帯寝具システム。
【請求項６】
前記通気空間は、それぞれの端部に通気するための第２メッシュシートが設けられることを特徴とする請求項５に記載の携帯寝具システム。
【請求項７】
前記支柱幕は、両端部に第１方向に沿って延びる支柱エアセルが設けられることを特徴とする請求項５または６に記載の携帯寝具システム。
【請求項８】
前記下敷きは、両端部に第1方向に沿って延びる端部エアセルが設けられることを特徴とする請求項１〜７のいずれか１項に記載の携帯寝具システム。
【発明の詳細な説明】
【技術分野】
【０００１】
本発明は、折畳みできる携帯寝具システムに関する。
【背景技術】
【０００２】
避難用、アウトドア用の寝具として、空気を抜いた状態で折りたたんでコンパクトにして携帯でき、空気を充填してマットとして使用するエアマットがある。
【０００３】
特許文献1では、合成樹脂シートを複数枚ラミネートした筒状体のシート材を設け、このシート材を扁平に折畳み、両端部を閉塞するとともに、この折りたたんだシートの短手方向に、連通穴部を除いた仕切り部を、所定寸法おきに複数本融着して設け、四周のいずれか一か所に逆止弁付き空気注入穴を設けた簡易マットが開示されている。
【０００４】
特許文献２では、以下のような睡眠用手段が開示されている。膨張可能で袋状のシート物質内に位置する変形可能なマットレスからなり、人がその中へ移動できる睡眠領域をマットレスのシート状物質とともに定めるカバー部がシート状物質に取り付けられる。カバー部は、その一辺で睡眠用手段に永久的に取り付けられるが、他の辺ではファスナーやその他の留め手段を使用して選択的に取り付けられる。シート状物質の更なる部分が、収納ポケットとして選択的に使用され得るように備えられる。
【先行技術文献】
【特許文献】
【０００５】
【特許文献１】特開平９−１５４６７３号公報
【特許文献２】特開２００２−２６２９７５号公報
【発明の概要】
【発明が解決しようとする課題】
【０００６】
火山の爆発や地震等の天変地異により思わぬ災害に遭遇したとき、緊急避難場所として体育館等が用いられるが、電気・ガスが使用できない場合、寒い冬や暑い夏の時期の避難は困難を極める。また、場合によっては、屋内に避難できないこともある。この場合、凹凸のある地面上で寝泊まりすることとなる。
【０００７】
従来のエアマットでは、屋外での凹凸のある場所での使用は想定しておらず、仮に使用したとしてもクッション性が悪くなり、寝心地の悪いものとなる。また、寒い冬、暑い夏場に使用する際は、別途、特別な防寒防暑対策が必要となる。
【０００８】
本発明の目的は、凹凸のある地面上での使用に際して、クッション性を確保できる携帯寝具システムを提供することである。また、屋外・屋内、さらに季節を問わず使用できる多機能な携帯寝具システムを提供することである。
【課題を解決するための手段】
【０００９】
上記課題を解決するために、請求項１に係る発明は、折畳み可能な携帯寝具システムであって、第１方向に沿って延びる複数のエアセルが列状に連接されたエアマットと、エアマットの下面に配設されて、エアマットに着脱可能に固定される下敷きとを備え、下敷きは、エアマットの下面全面を覆うシートと、シートに第１方向に間隔をあけて固定されて、シートの一方の端部から第１方向に直交する第２方向に沿って他方の端部まで延びる複数のビームを有することを特徴とする。
【００１０】
この構成によれば、エアセルとビームは互いに直交する方向に延びており、これらが協働していわゆる格子構造体を構成している。これにより、凹凸のある床面に設置した場合でも快適なクッション性が確保できる。
【００１１】
請求項２に係る発明は、請求項１に記載の携帯寝具システムにおいて、エアマットの上方に配設されて、エアマットに着脱可能に固定されるカバー部をさらに備えることを特徴とする。
【００１２】
この構成によれば、携帯寝具システムは、エアマットの上方に配設されて、エアマットに着脱可能に固定されるカバー部をさらに備えるので、カバー部の構成を適宜設定することで、多目的な用途に使用できる。これにより寒い冬の季節から、暑い夏の季節までオールシーズンの使用が可能となる。
【００１３】
請求項３に係る発明は、請求項２に記載の携帯寝具システムにおいて、カバー部は、かまぼこ形に湾曲したエアカバーを有し、エアカバーとエアマットは、協働して、外気を断熱するための保温空間を画定することを特徴とする。
【００１４】
この構成によれば、カバー部は、かまぼこ形に湾曲したエアカバーを有し、エアカバーとエアマットは、協働して、外気を断熱するための保温空間を画定するので、寒い冬の時期においても、保温性の高い保温空間内で寝袋を用いて、快適に睡眠できる。
【００１５】
請求項４に係る発明は、請求項３に記載の携帯寝具システムにおいて、保温空間の一方の端部に外気を遮断するための遮断シートが設けられ、他方の端部に換気のための第１メッシュシートが設けられることを特徴とする。
【００１６】
この構成によれば、保温空間の一方の端部に外気を遮断するための遮断シートが設けられるので、保温空間の保温性能をさらに高められる。また、他方の端部に換気のための第１メッシュシートが設けられるので、保温空間で適切な酸素濃度が確保できる。
【００１７】
請求項５に係る発明は、請求項２に記載の携帯寝具システムにおいて、カバー部は、一方の端部がエアマットの一方の端部に着脱可能に固定されるかまぼこ形に湾曲したエアカバーと、一方の端部がエアマットの他方の端部に着脱可能に固定されて、他方の端部がエアカバーの他方の端部に着脱可能に固定される支柱幕とを有し、支柱幕は、支柱シートと、支柱シートに間隔をあけて固定されて、支柱シートの一方の端部から前記第１方向に直交する第３方向に沿って他方の端部まで延びる複数の支柱コラムとを含み、カバー部とエアマットは、協働して内部の空気を通気させるための通気空間を画定することを特徴とする。
【００１８】
この構成によれば、カバー部とエアマットは、協働して内部の空気を通気させるための通気空間を画定するので、暑い夏の時期にも、直射日光を受けることなく、通気空間内で快適に過ごすことができる。
【００１９】
請求項６に係る発明は、請求項５に記載の携帯寝具システムにおいて、通気空間は、それぞれの端部に通気するための第２メッシュシートが設けられることを特徴とする。
【００２０】
この構成によれば、通気空間は、それぞれの端部に通気するための第２メッシュシートが設けられるので通気性を損なうことなく、蚊などの侵入を防ぐことができる。
【００２１】
請求項７に係る発明は、請求項５または６に記載の携帯寝具システムにおいて、支柱幕は、両端部に第１方向に沿って延びる支柱エアセルが設けられることを特徴とする。
【００２２】
この構成によれば、支柱幕は、両端部に第１方向に沿って延びる支柱エアセルが設けられるので、支柱エアセルに空気を充填することで、支柱エアセルと支柱コラムが協働して、支柱幕は面状の構造体を構成する。これにより支柱幕の取り付けが容易となる。
【００２３】
請求項８に係る発明は、請求項１から７のいずれか１項に記載の携帯寝具システムにおいて、下敷きは、両端部に第１方向に沿って延びる端部エアセルが設けられることを特徴とする。
【００２４】
この構成によれば、下敷きは、両端部に第１方向に沿って延びる端部エアセルが設けられるので、端部エアセルに空気を充填することで、下敷きは、面状の構造体を構成する。形状が確定した下敷きの上にエアマットを簡単に載置できる。
【図面の簡単な説明】
【００２５】
【図１】実施形態１の携帯寝具システムの斜視図である。
【図２】（ａ）は、下敷きの斜視図であり、（ｂ）は、エアマットの斜視図であり、（ｃ）は、エアカバーの斜視図であり、（ｄ）は第１メッシュシートの正面図であり（ｅ）は遮断シートの正面図である。
【図３】実施形態２の携帯寝具システムの斜視図である。
【図４】（ａ）は支柱幕の斜視図であり、（ｂ）は第２メッシュシートの正面図である。
【発明を実施するための形態】
【００２６】
本発明の実施形態１について、図１、２を参照して説明する。
【００２７】
図１に示す通り、実施形態１における携帯寝具システム１は、下敷き２０、エアマット１０、およびカバー部３０となるエアカバー４０を有している。また、エアマット１０とエアカバー４０は協働して保温空間５０を画定している。保温空間５０の一方の端部には第１メッシュシート５５が設けられ、他方の端部には遮断シート５６が設けられている。
【００２８】
下敷き２０は、凹凸のある敷設面に敷設した場合の、エアマット１０のクッション性を改善するためのものであり、図２（ａ）に示す通り、シート２１、ビーム２２、および端部エアセル２３を有している。下敷き２０は、上面にエアマット１０を載置した状態で敷設面に敷いて用いるものであることから、エアマット１０よりも若干大きな形状となっている。
【００２９】
学校や公園の空き地に緊急避難したとき、地面には小石、金属片等の鋭い破片が点在し、これによってエアマット１０は破損し充填した空気が抜けてしまうことが想定される。シート２１は、エアマット１０を保護し、このような事態を回避するために設けられるものである。従って、エアマット１０の全面を覆う大きさとなっている。
【００３０】
ビーム２２は横方向（第２方向）に沿って延びる棒状の部材であり、端部が端部エアセル２３に接した状態で縦方向（第１方向）に間隔をあけてシート２１に固定されている。ビーム２２は、敷設面の凹凸の程度を軽減しながら撓むことでエアマット１０のクッション性を向上させるものである。負荷荷重が大きい範囲ではビーム２２の間隔を狭く設定することでエアマット１０のクッション性の向上が図れる。ビーム２２の間隔については、想定される敷設面の凹凸の度合い、負荷荷重の大きさを勘案して適宜定める。ビーム２２の材質は、軽量で、かつ剛性の高いものが好ましい。例えば、アルミ材、カーボンファイバー等である。
【００３１】
端部エアセル２３は、空気が充填されることで全体が膨らむ構造となっており、シート２１の両端部に設けられて、縦方向に延びている。端部エアセル２３の空気が抜かれた状態で、下敷き２０を縦方向に向かって回転することで丸めることができる。丸まった状態の下敷き２０を袋に入れることで容易に携帯できる。また、端部エアセル２３に空気を充填したときは、端部エアセル２３は縦方向に延びていく。端部エアセル２３はビーム２２を介してシート２１の両端部に設けられていることから、横方向は一定の間隔を維持している。すなわち、端部エアセル２３に空気を充填することで、下敷き２０は丸まった状態から、エアマット１０を載置可能な広さまで変化させることができる。
【００３２】
図２（ｂ）に示す通り、エアマット１０は、縦方向に延びるエアセル１１を横方向に結合した構造であり、エアセル１１に空気を充填して、所定の大きさに膨らませた状態で、下敷き２０に載置して用いる。エアマット１０の下端部が端部エアセル２３に挟み込まれた状態で、エアマット１０と下敷き２０は面ファスナーで着脱可能に固定されている。これにより、エアマット１０を下敷き２０の上に、ずれることなく正確に設置できる。空気が抜かれた状態で、エアマット１０を縦方向に向かって回転することで丸めることができ、携帯が容易となる。
【００３３】
エアマット１０は可撓性に富む材質であることから、凹凸のある敷設面に載置された場合、クッション性を大きく損なう可能性がある。また、横方向はエアセル１１を接続した構造であることから、縦方向に比べて可撓性が大きく、クッション性については、敷設面の凹凸による影響をより受けやすい。本実施形態では、エアマット１０を、敷設面の凹凸の程度を低減しながら撓むビーム２２で支持することで、クッション性を向上させている。特に、横方向の凹凸の影響を受けやすいエアマット１０を、ビーム２２が直接支持することで、クッション性を高めている。すなわち、エアセル１１とビーム２２は互いに直交する方向に延びており、これらが協働していわゆる格子構造体を構成している。これにより、凹凸のある床面に設置した場合でも快適なクッション性が確保できる。
【００３４】
図２（ｃ）に示す通り、エアカバー４０は、湾曲エアセル４１を縦方向に接続した、かまぼこ形に湾曲した構造である。湾曲エアセル４１は、横方向に沿って延びる上方に凸形状の部材である。湾曲エアセル４１に空気を充填して、所定の大きさに膨らませた状態で、エアカバー４０の両端部をエアマット１０の両端部に面ファスナーで着脱可能に固定している。空気が抜かれた状態で、エアカバー４０を縦方向に向かって回転することで丸めることができ、携帯が容易となる。
【００３５】
エアマット１０とエアカバー４０は、協働して保温空間５０を画定する。保温空間５０の一方の端部には外気を遮断するための遮断シート５６が、面ファスナーで着脱可能に固定され、他方の端部には換気するための第１メッシュシート５５が、面ファスナーで着脱可能に固定されている。
【００３６】
図２（ｄ）、（ｅ）に示す通り、第１メッシュシート５５、および遮断シート５６は、外周部に形状を保持するための折畳み／展開可能なサポートフレーム５５ａ、５６ａが設けられている。これにより、コンパクトに折りたたむことができ携帯性が向上するとともに、取り付けが容易となる。遮断シート５６の材質は軽量で気密性が高いものが好ましい。より高い断熱性能を確保するために、空気が充填できる構造とすることが好ましい。
【００３７】
保温空間５０は、高い断熱性能を具備する空気層で周囲を覆われていることから、寒い冬の時期でも、寒さから身を守ることができる。保温空間５０は、成人が寝袋で就寝できる最小限の広さを確保することが好ましい。これにより、寒い冬の時期でも、大掛かりな暖房器具を用いることなく、保温空間５０で寝袋を使用して就寝できる。
【００３８】
本発明の実施形態２について、図３、４を参照して説明する。実施形態１と実施形態２は、共通部分があることから、主に相違点について説明する。符号については、共通部分は、同じ番号とし、異なる部分については２００番台の番号を用いる。
【００３９】
図３に示す通り、実施形態２における携帯寝具システム２０１は、下敷き２０、エアマット１０、およびカバー部２３０を有している。また、エアマット１０とカバー部２３０は協働して通気空間２５０を画定している。通気空間２５０の両端部のそれぞれには第２メッシュシート２５５が設けられている。
【００４０】
カバー部２３０は、エアカバー４０と支柱幕２６０を有している。エアカバー４０は、一方の端部がエアマット１０の一方の端部に面ファスナーで着脱可能に固定され、支柱幕２６０は、一方の端部がエアマット１０の他方の端部に面ファスナーで着脱可能に固定され、他方の端部が、エアカバー４０の他方の端部に面ファスナーで着脱可能に固定されている。
【００４１】
図４（ａ）に示す通り、支柱幕２６０は、支柱シート２２１、支柱コラム２２２、および支柱エアセル２２３を有している。
【００４２】
支柱コラム２２２は横方向に沿って延びる棒状の部材であり、端部が支柱エアセル２２３に接した状態で縦方向に間隔をあけて支柱シート２２１に固定されている。支柱コラム２２２は、エアカバー４０を支持するものであることから、設置間隔は、強風の場合でも、エアカバー４０を安定して支持できる間隔とすることが好ましい。支柱シート２２１は遮光性が高く、防水性の高い材料であることが好ましい。これにより、直射日光の影響を受けることなく、通気空間２５０で過ごせる。また、夜露、降雨による影響を受けることもない。
【００４３】
支柱エアセル２２３は、空気が充填されることで全体が膨らむ構造となっており、支柱シート２２１の両端部に設けられて、縦方向に延びている。支柱エアセル２２３の空気が抜かれた状態で、支柱幕２６０を縦方向に向かって回転することで丸めることができる。丸まった状態の支柱幕２６０を袋に入れることで容易に携帯できる。また、支柱エアセル２２３に空気を充填したときは、支柱エアセル２２３は縦方向に延びていく。支柱エアセル２２３は支柱コラム２２２を介して支柱シート２２１の両端部に設けられていることから、横方向は一定の間隔を維持している。すなわち、支柱エアセル２２３に空気を充填することで、支柱幕２６０は丸まった状態から、エアカバー４０を支持できる大きさまで変化させることができる。
【００４４】
エアマット１０とカバー部２３０は、協働して通気空間２５０を画定する。通気空間２５０は、正面視で、一辺が凸形状の略三角形であり、実施形態１の保温空間５０に比べて広い空間となっている。通気空間２５０は成人がゆったりと就寝できる広さを確保することが好ましい。
【００４５】
通気空間２５０の両端部のそれぞれに、第２メッシュシート２５５が面ファスナーで着脱可能に固定されている。第２メッシュシート２５５は、蚊などの通気空間２５０への侵入を防止するとともに、外気を通過させて通気空間２５０の温度上昇を抑制するためのものである。
【００４６】
図４（ｂ）に示す通り、第２メッシュシート２５５は、外周部に形状を保持するための折畳み／展開可能なサポートフレーム２５５ａが設けられている。これにより、コンパクトに折りたたむことができ携帯性が向上するとともに、取り付けが容易となる。
【００４７】
なお、本発明は、上述した実施形態に限定されず、本発明の技術的思想を逸脱しない範囲で、様々な改変、置換等を行うことができる。例えば、本実施形態１，２では着脱可能に固定するために面ファスナーを用いているが、ボタン状留め具、ループ状留め具、フック状留め具、およびファスナー等を用いてもよい。
【産業上の利用可能性】
【００４８】
本発明に係る携帯寝具システムは、使用態様を変化させることで、寒い冬から暑い夏までオールシーズン使用できる。キャンプでの使用はもとより、特に、地震、火山噴火等の突然発生する災害時に、校庭などへの非難を余儀なくされた場合でも対応できることから、産業上の利用可能性は大である。
【符号の説明】
【００４９】
１、２０１  ：携帯寝具システム
１０        ：エアマット
１１        ：エアセル
２０        ：下敷き
２１        ：シート
２２        ：ビーム
２３        ：端部エアセル
３０，２３０：カバー部
４０        ：エアカバー
５０        ：保温空間
５５        ：第１メッシュシート
５６        ：遮断シート
２２１      ：支柱シート
２２２      ：支柱コラム
２２３      ：支柱エアセル
２５０      ：通気空間
２５５      ：第２メッシュシート
２６０      ：支柱幕
【図１】
2020174918.tif 000003
【図２】
2020174918.tif 000004
【図３】
2020174918.tif 000005
【図４】
2020174918.tif 000006
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
折畳み可能な携帯寝具システムであって、
第１方向に沿って延びる複数のエアセルが列状に連接されたエアマットと、
前記エアマットの下面に配設されて、前記エアマットに着脱可能に固定される下敷きと、
前記エアマットの上方に配設されて、前記エアマットに着脱可能に固定されるカバー部と、を備え、
前記下敷きは、前記エアマットの下面全面を覆うシートと、前記シートに第１方向に間隔をあけて固定されて、前記シートの一方の端部から前記第１方向に直交する第２方向に沿って他方の端部まで延びる複数のビームを有し、
前記カバー部は、一方の端部が前記エアマットの一方の端部に着脱可能に固定されるかまぼこ形に湾曲したエアカバーと、一方の端部が前記エアマットの他方の端部に着脱可能に固定されて、他方の端部が前記エアカバーの他方の端部に着脱可能に固定される支柱幕とを有し、
前記支柱幕は、支柱シートと、前記支柱シートに間隔をあけて固定されて、前記支柱シートの一方の端部から前記第１方向に直交する第３方向に沿って他方の端部まで延びる複数の支柱コラムとを含み、
前記カバー部と前記エアマットは、協働して内部の空気を通気させるための通気空間を画定することを特徴とする携帯寝具システム。
【請求項２】
前記通気空間は、それぞれの端部に通気するための第２メッシュシートが設けられることを特徴とする請求項１に記載の携帯寝具システム。
【請求項３】
前記支柱幕は、両端部に第１方向に沿って延びる支柱エアセルが設けられることを特徴とする請求項１または２に記載の携帯寝具システム。
【請求項４】
前記下敷きは、両端部に第１方向に沿って延びる端部エアセルが設けられることを特徴とする請求項１〜３のいずれか１項に記載の携帯寝具システム。
【手続補正２】
【補正対象書類名】明細書
【補正対象項目名】０００９
【補正方法】変更
【補正の内容】
【０００９】
上記課題を解決するために、請求項１に係る発明は、折畳み可能な携帯寝具システムであって、第１方向に沿って延びる複数のエアセルが列状に連接されたエアマットと、エアマットの下面に配設されて、エアマットに着脱可能に固定される下敷きと、エアマットの上方に配設されて、前記エアマットに着脱可能に固定されるカバー部と、を備え、下敷きは、エアマットの下面全面を覆うシートと、シートに第１方向に間隔をあけて固定されて、シートの一方の端部から第１方向に直交する第２方向に沿って他方の端部まで延びる複数のビームを有し、カバー部は、一方の端部が前記エアマットの一方の端部に着脱可能に固定されるかまぼこ形に湾曲したエアカバーと、一方の端部が前記エアマットの他方の端部に着脱可能に固定されて、他方の端部が前記エアカバーの他方の端部に着脱可能に固定される支柱幕とを有し、支柱幕は、支柱シートと、支柱シートに間隔をあけて固定されて、前記支柱シートの一方の端部から前記第１方向に直交する第３方向に沿って他方の端部まで延びる複数の支柱コラムとを含み、カバー部とエアマットは、協働して内部の空気を通気させるための通気空間を画定することを特徴とする。
【手続補正３】
【補正対象書類名】明細書
【補正対象項目名】００１０
【補正方法】変更
【補正の内容】
【００１０】
この構成によれば、エアセルとビームは互いに直交する方向に延びており、これらが協 働していわゆる格子構造体を構成している。これにより、凹凸のある床面に設置した場合 でも快適なクッション性が確保できる。
また、この構成によれば、携帯寝具システムは、エアマットの上方に配設されて、エアマットに着脱可能に固定されるカバー部をさらに備えるので、カバー部の構成を適宜設定することで、多目的な用途に使用できる。これにより寒い冬の季節から、暑い夏の季節までオー ルシーズンの使用が可能となる。
また、この構成によれば、カバー部とエアマットは、協働して内部の空気を通気させるための通気空間を画定するので、暑い夏の時期にも、直射日光を受けることなく、通気空間内で快適に過ごすことができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
請求項２に係る発明は、請求項１に記載の携帯寝具システムにおいて、通気空間は、それぞれの端部に通気するための第２メッシュシートが設けられることを特徴とする。
【手続補正１３】
【補正対象書類名】明細書
【補正対象項目名】００２１
【補正方法】変更
【補正の内容】
【００２１】
請求項３に係る発明は、請求項１または２に記載の携帯寝具システムにおいて、支柱幕は、両端部に第１方向に沿って延びる支柱エアセルが設けられることを特徴とする。
【手続補正１４】
【補正対象書類名】明細書
【補正対象項目名】００２３
【補正方法】変更
【補正の内容】
【００２３】
請求項４に係る発明は、請求項１から３のいずれか１項に記載の携帯寝具システムにおいて、下敷きは、両端部に第１方向に沿って延びる端部エアセルが設けられることを特徴とする。